(57)【要約】【課題】ヘアストレートナー用発熱素子を提供する。【解決手段】本発明のヘアストレートナー用放熱素子は、ベースと、作業板と、発熱シートと、断熱シートと、シリコンパッドとを備え、前記ベースには収納溝が設置され、前記シリコンパッドは収納溝に内設され、前記断熱シートはシリコンパッドに嵌設され、前記発熱シートは断熱シート上に設置され、前記作業板はコ字型を呈し、ベースと組み合わせられ、発熱シート、断熱シート、シリコンパッドが作業板とベースとの間に挟持され、発熱シート及び作業板の底面が貼り合わせられる。本発明は発熱素子中で支持フレーム及び作業板面が分離して２つの部材となり、同時に発熱シート及び作業板面が良好に接触し、支持フレームとは隔離される。発熱シートが熱量が作業板面に最速で導熱されるのみで、作業板面の温度が高速に上昇し、加温速度が向上する。【選択図】図１
2018516730.tif 000002
【特許請求の範囲】
【請求項１】
ベースと、作業板と、発熱シートと、断熱シートと、シリコンパッドとを備え、前記ベースには収納溝が設置され、前記シリコンパッドは収納溝に内設され、前記断熱シートはシリコンパッドに嵌設され、前記発熱シートは断熱シート上に設置され、前記作業板はコ字型を呈し、ベースと組み合わせられ、発熱シート、断熱シート、シリコンパッドが作業板とベースとの間に挟持され、発熱シート及び作業板の底面が密着して貼り合わせられることを特徴とするヘアストレートナー用発熱素子。
【請求項２】
ベースと、作業板と、発熱シートと、断熱シートとを備え、前記断熱シートがベースに嵌設され、前記発熱シートが断熱シート上に設置され、前記作業板はベースと組み合わせられ、断熱シート及び発熱シートが作業板とベースとの間に狭装され、前記発熱シート及び作業板の底面が密着して貼り合わせられることを特徴とするヘアストレートナー用発熱素子。
【請求項３】
作業板と、外部固定器と、基板と、シリコンパッドと、発熱シートと、断熱シートとを備え、前記基板が外部固定器内に係合され、前記シリコンパッドが基板上に設置され、前記断熱シートがシリコンパッド上に設置され、前記発熱シートが断熱シート上に設置され、前記作業板が外部固定器内に係合され、作業板の上表面が外部固定器の上表面と平坦になり、作業板及び基板が組み合わせられると共に両者の間にシリコンパッド、発熱シート、及び断熱シートが狭装され、前記発熱シート及び作業板の底面が密着して貼り合わせられることを特徴とするヘアストレートナー用発熱素子作業板 。
【発明の詳細な説明】
【技術分野】
【０００１】
本発明は、発熱素子に関し、より詳しくは、ヘアストレートナー用発熱素子に関する。
【背景技術】
【０００２】
ヘアストレートナー（Hair straightener）はヘアストレートアイロンとも呼ばれ、俗称はヘアアイロンであるが、電流によりヘアストレートナーの発熱体が加熱され、アルミ板またはセラミック板に導熱されて発熱する。
【０００３】
ヘアストレートナーは髪をストレートにする道具であり、発熱素子により髪を加熱して軟らかくし、その後に冷却することでストレートにする目的を達成させる。ヘアストレートナー中では発熱素子が中核的な部材の１つであり、ヘアストレートナーの発熱性能及び使用性に対して重要な作用を与える。
【発明の概要】
【発明が解決しようとする課題】
【０００４】
しかしながら、従来のヘアストレートナーは、その発熱素子の構造が制限されているため、発熱体とアルミ板との間が緊密に均等に貼り合わせられない。また、アルミ板が発熱素子の中核的な支持フレーム及び作業板面として用いられるため、支持フレームの温度を維持するために大量の熱量を浪費しなければアルミ板の外表面（作業板面）に導熱できない。このため、導熱過程で損失する熱エネルギーが多すぎ、発熱体とアルミ板の外表面（作業板面）との間の熱伝導速度が遅くなり、発熱素子全体の加温も遅くなり、使用者のヘアストレートナーに対する要求を満足させられなかった。
【０００５】
そこで、本発明者は上記の欠点が改善可能と考え、鋭意検討を重ねた結果、合理的設計で上記の課題を効果的に改善する本発明の提案に到った。
【０００６】
かかる従来の実情に鑑みて、本発明は、ヘアストレートナー用発熱素子を提供することを目的とする。すなわち、従来のヘアストレートナー用発熱素子に存在する欠点を克服させる。
【課題を解決するための手段】
【０００７】
上述した課題を解決し、目的を達成するために、本発明のヘアストレートナー用発熱素子は、ベースと、作業板と、発熱シートと、断熱シートと、シリコンパッドとを備え、前記ベースには収納溝が設置される。前記シリコンパッドは収納溝に内設される。前記断熱シートはシリコンパッドに嵌設される。前記発熱シートは断熱シート上に設置され、前記作業板はコ字型を呈し、ベースと組み合わせられ、発熱シート、断熱シート、シリコンパッドが作業板とベースとの間に挟持される。発熱シート及び作業板の底面が密着して貼り合わせられる。
【０００８】
また、本発明の他のヘアストレートナー用発熱素子は、ベースと、作業板と、発熱シートと、断熱シートとを備え、前記断熱シートがベースに嵌設される。前記発熱シートが断熱シート上に設置される。前記作業板はベースと組み合わせられ、断熱シート及び発熱シートが作業板とベースとの間に狭装される。前記発熱シート及び作業板の底面が密着して貼り合わせられる。
【０００９】
さらに、本発明のさらなる他のヘアストレートナー用発熱素子は、作業板と、外部固定器と、基板と、シリコンパッドと、発熱シートと、断熱シートとを備え、前記基板が外部固定器内に係合される。前記シリコンパッドが基板上に設置される。前記断熱シートがシリコンパッド上に設置される。前記発熱シートが断熱シート上に設置される。前記作業板が外部固定器内に係合され、作業板の上表面が外部固定器の上表面と平坦になり、作業板及び基板が組み合わせられると共に両者の間にシリコンパッド、発熱シート、及び断熱シートが狭装される。前記発熱シート及び作業板の底面が密着して貼り合わせられる。
【発明の効果】
【００１０】
本発明は発熱素子中で支持フレーム及び作業板面が分離して２つの部材となり、同時に発熱シート及び作業板面が良好に接触し、支持フレームとは隔離される。発熱シートが熱量が作業板面に最速で導熱されるのみで、作業板面の温度が高速に上昇し、加温速度が向上する。
【図面の簡単な説明】
【００１１】
【図１】本発明の第１実施形態に係るヘアストレートナー用発熱素子を示す展開図である。
【図２】本発明の第２実施形態に係るヘアストレートナー用発熱素子を示す展開図である。
【図３】本発明の第３実施形態に係るヘアストレートナー用発熱素子を示す展開図である。
【発明を実施するための形態】
【００１２】
本発明における好適な実施の形態について、添付図面を参照して説明する。尚、以下に説明する実施の形態は、実用新案登録請求の範囲に記載された本発明の内容を限定するものではない。また、以下に説明される構成の全てが、本発明の必須要件であるとは限らない。
【実施形態】
【００１３】
（第１実施形態）
まず、本発明の第１実施形態について、図１を参照しながら説明する。図１に示されるように、本実施形態のヘアストレートナー用発熱素子は、ベース１と、作業板１３と、発熱シート７と、断熱シート４と、シリコンパッド１０とを備え、前記ベース１には収納溝が設置される。前記シリコンパッド１０は収納溝に内設される。前記断熱シート４はシリコンパッド１０に嵌設される。前記発熱シート７は断熱シート４上に設置される。前記作業板１３はコ字型を呈し、ベース１と組み合わせられ、発熱シート７、断熱シート４、及びシリコンパッド１０が作業板１３とベース１との間に挟持される。発熱シート７及び作業板１３の底面が密着して貼り合わせられる。
【００１４】
（第２実施形態）
次は、本発明の第２実施形態について、図２を参照しながら説明する。図２に示されるように、本実施形態のヘアストレートナー用発熱素子は、ベース２と、作業板１４と、発熱シート８と、断熱シート５とを備え、前記断熱シート５はベース２に嵌設される。前記発熱シート８は断熱シート５上に設置される。前記作業板１４はベース２と組み合わせられ、断熱シート５及び発熱シート８が作業板１４とベース２との間に狭装される。前記発熱シート８及び作業板１４の底面が密着して貼り合わせられる。
【００１５】
（第３実施形態）
最後は、本発明の第３実施形態について、図３を参照しながら説明する。図３に示されるように、本実施形態のヘアストレートナー用発熱素子は、作業板１５と、外部固定器１２と、基板３と、シリコンパッド１１と、発熱シート９と、断熱シート６とを備える。前記基板３は外部固定器１２内に係合される。前記シリコンパッド１１は基板３上に設置される。前記断熱シート６はシリコンパッド１１上に設置される。前記発熱シート９は断熱シート６上に設置される。前記作業板１５は外部固定器１２内に係合され、作業板１５の上表面は外部固定器１２の上表面と平坦になり、作業板１５及び基板３が組み合わせられると共に両者の間にシリコンパッド１１、発熱シート９、及び断熱シート６が狭装される。前記発熱シート９及び作業板１５の底面が密着して貼り合わせられる。
【００１６】
上述の実施形態は本発明の技術思想及び特徴を説明するためのものにすぎず、当該技術分野を熟知する者に本発明の内容を理解させると共にこれをもって実施させることを目的とし、本発明の特許請求の範囲を限定するものではない。従って、本発明の精神を逸脱せずに行う各種の同様の効果をもつ改良又は変更は、特許請求の範囲に含まれるものとする。
【符号の説明】
【００１７】
（１）ベース
（２）ベース
（３）基板
（４）断熱シート
（５）断熱シート
（６）断熱シート
（７）発熱シート
（８）発熱シート
（９）発熱シート
（１０）シリコンパッド
（１１）シリコンパッド
（１２）外部固定器
（１３）作業板
（１４）作業板
（１５）作業板
【図１】
2018516730.tif 000003
【図２】
2018516730.tif 000004
【図３】
2018516730.tif 000005
【国際調査報告】
2018516730.tif 000006
2018516730.tif 000007
2018516730.tif 000008
2018516730.tif 000009
2018516730.tif 000010
2018516730.tif 000011